(57)【特許請求の範囲】
【請求項１】
分離部が第１の切り離し線によって分離可能に区画形成され、前記分離部が当該分離部の所定の端部領域を分離開始端として分離される第１のシートと、
前記第１のシートに重ね合わされ、該重ね合わせ状態において前記分離開始端の近傍の領域にてその一部が前記第１の切り離し線に交差するように形成された第２の切り離し線を具備する第２のシートとを有し、
前記第１のシートは、前記分離開始端の近傍の領域において、前記第２の切り離し線に重ならない領域に、前記第１の切り離し線に繋がった孔部を有し、
前記第１の切り離し線は、前記第２の切り離し線に交差する領域が、前記孔部と、前記分離開始端となる端部領域とに繋がったスリットとなっている、重ね合わせシート。
【発明の詳細な説明】
【技術分野】
【０００１】
本発明は、２枚のシートが重ね合わされた重ね合わせシートに関し、特に、一方のシートに分離部が分離可能に区画形成され、他方のシートに切り離し線が形成されてなる重ね合わせシートに関する。
【背景技術】
【０００２】
従来より、配送物を配送する場合、配送物の配送元及び配送先の住所や氏名あるいは名称等の配送情報が印字された配送伝票が用いられ、配送情報が印字された配送伝票が配送物に貼付され、配送伝票に印字された配送情報に従って配送物が配送先に配送されている。
【０００３】
このような配送伝票としては、配送物に貼付される伝票片に、配送物が配送先に配送された後に配送業者が持ち帰る配達票が分離可能に区画形成されているものが用いられている。この配送伝票を用いた場合、配送物が配送先に配送されると、配達票に受領印が押下され、配達票が伝票片から分離されて配送業者によって持ち帰られることにより、配送物が配送先に配送されたことが管理されることになる。
【０００４】
上述したように配達票を伝票片から分離して持ち帰るためには、伝票片のうち配達票となる部分が配送物に貼付されていない状態としておく必要がある。そこで、伝票片のうち配達票となる部分のみ接着層を設けず、それにより、伝票片が配送物に貼付された後においても配達票のみを配送物から離脱可能としている。
【０００５】
また、このような伝票片から配達票が分離可能な構成において、伝票片のうち配達票となる部分のみ接着層を設けない構成とするとともに、伝票片が配送物に貼付される前の状態にて伝票片に剥離可能に貼着されている剥離台紙のうち、配達票に対向する領域を分離領域としてスリットによって分離可能に区画形成し、この分離領域の表裏に情報を表示した配送伝票が、例えば、特許文献１に開示されている。
【０００６】
特許文献１に開示された配送伝票においては、分離票となる配達票が分離可能に区画形成されるとともに一方の面の配達票を除いた領域に接着層が設けられた伝票片に、接着層によって剥離台紙が剥離可能に貼着された構成において、剥離台紙の配達票に対向する領域に、一方向の両端部のみが接着層に対向した分離領域がスリットによって分離可能に区画形成されている。そのため、分離領域のうち接着層に対向しない領域に情報を表示しておき、伝票片を剥離台紙から剥離して配送物に貼付する際に、分離領域を剥離台紙から分離して伝票片に貼着されたままの状態とすることで、その後、伝票片から配達票を分離した際、分離領域に表示された情報を配送物の配送先に通知することができる。
【０００７】
ここで、上述した配達票のように伝票片から分離可能な分離部を有するものにおいては、分離部の角部に、いわゆるコーナーカット部として例えば三角形の孔部を形成しておき、その孔部を摘み代として分離部を容易に分離可能としているものが多く、特許文献１に開示されたものにおいても、そのような構成が採用されている。
【特許文献１】特許第５０５３１４２号公報
【発明の概要】
【発明が解決しようとする課題】
【０００８】
上述したように、特許文献１に開示された配送伝票においては、分離部となる配達票が分離可能に区画形成されるとともに一方の面の配達票を除いた領域に接着層が設けられた伝票片に、接着層によって剥離台紙が剥離可能に貼着された構成において、剥離台紙の配達票に対向する領域に、一方向の両端部のみが接着層に対向した分離領域がスリットによって分離可能に区画形成されている。そのため、前記一方向に直交する方向の分離領域の長さが分離部よりも短い場合、上記のように分離部の角部に孔部を形成すると、剥離台紙から分離領域を分離するためのスリットの一部がこの孔部に対向する場合がある。
【０００９】
ここで、上述したように、２枚のシートが重ね合わされて構成される重ね合わせシートにおいては、重ね合わされた後にその表裏から刃型が当てられることで、上述したような配達票等の分離部や剥離台紙の分離領域を分離するためのスリット等の切り離し線が形成されることになる。そのため、２枚のシートが重ね合わされる前に分離部の角部に孔部が形成される等というように、２枚のシートに切り離し線がそれぞれ形成される際に、分離部の角部に孔部が既に形成されている場合、孔部に対向する領域においては、スリット等の切り離し線を形成するために孔部とは反対側から刃型を当てると、孔部が形成されていないシートの孔部に対向する領域が孔部に入り込むように湾曲し、それにより、切り離し線を形成するために刃型によってシートに加わる圧力が弱まり、切り離し線を確実に形成することができなくなってしまうという問題点がある。
【００１０】
本発明は、上述したような従来の技術が有する問題点に鑑みてなされたものであって、分離部が第１の切り離し線によって分離可能に区画形成された第１のシートと、第２の切り離し線が形成された第２のシートとが重ね合わされた重ね合わせシートにおいて、第２の切り離し線の一部が、分離部が第１のシートから分離される際の分離開始端の近傍の領域にて第１の切り離し線に交差するように形成されている場合であっても、分離部を第１のシートから分離しやすくしながらも、第２の切り離し線を確実に形成することができる重ね合わせシートを提供することを目的とする。
【課題を解決するための手段】
【００１１】
上記目的を達成するために本発明は、
分離部が第１の切り離し線によって分離可能に区画形成され、前記分離部が当該分離部の所定の端部領域を分離開始端として分離される第１のシートと、
前記第１のシートに重ね合わされ、該重ね合わせ状態において前記分離開始端の近傍の領域にてその一部が前記第１の切り離し線に交差するように形成された第２の切り離し線を具備する第２のシートとを有し、
前記第１のシートは、前記分離開始端の近傍の領域において、前記第２の切り離し線に重ならない領域に、前記第１の切り離し線に繋がった孔部を有し、
前記第１の切り離し線は、前記第２の切り離し線に交差する領域が、前記孔部と、前記分離開始端となる端部領域とに繋がったスリットとなっている。
【００１２】
上記のように構成された本発明においては、分離部を第１のシートから分離しやすくするための孔部が第１のシートに形成された状態にて第１のシートと第２のシートとが重ね合わされた後に、第１のシートと第２のシートとに第１の切り離し線と第２の切り離し線とをそれぞれ形成するためにその表裏から刃型が当てられた場合であっても、孔部が第１のシートの第２の切り離し線に重ならない領域に設けられているので、第２の切り離し線を形成するために第２のシートに刃型が当てられても、第２のシートが刃型によって湾曲して第２の切り離し線を形成するために第２のシートに加わる圧力が弱まることがなくなり、分離部を第１のシートから分離しやすくするための孔部を有しながらも、第２の切り離し線が確実に形成されることになる。また、第１の切り離し線について、分離開始端の近傍の領域における第２の切り離し線に交差する領域が、孔部と、分離開始端となる端部領域とに繋がったスリットとなっていることから、孔部を摘み代として分離部を第１のシートから分離する場合でも、第１のシートの切断部分が第１の切り離し線から逸れていくことが回避される。
【発明の効果】
【００１３】
本発明によれば、第１のシートには、第１の切り離し線によって第１のシートから分離部を分離しやすくするための孔部が設けられているものの、この孔部は分離部の分離開始端の近傍にて第２の切り離し線に重ならない領域に設けられているので、第２の切り離し線を形成するために第２のシートに刃型が当てられても、第２のシートが刃型によって湾曲して第２の切り離し線を形成するために第２のシートに加わる圧力が弱まることがなくなり、それにより、分離部を第１のシートから分離しやすくしながらも、第２の切り離し線を確実に形成することができる。また、第１の切り離し線について、分離開始端の近傍の領域における第２の切り離し線に交差する領域が、孔部と、分離開始端となる角部とに繋がったスリットとなっているため、孔部を摘み代として分離部を第１のシートから分離する場合でも、第１のシートの切断部分が第１の切り離し線から逸れていくことを回避できる。
【図面の簡単な説明】
【００１４】
【図１】本発明の重ね合わせシートの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図２】図１に示した伝票片及び剥離台紙の構成を示す図であり、（ａ）は伝票片の剥離台紙との貼着面の構成を示す図、（ｂ）は剥離台紙の伝票片との貼着面の構成を示す図、（ｃ）は伝票片に形成されたスリット及びコーナーカット部と剥離台紙に形成されたスリットとの位置関係を示す図である。
【図３】図１及び図２に示した配送伝票が配送物に貼付されるまでの使用方法を説明するための図であり、（ａ）は剥離台紙の納品書以外の部分が伝票片から剥離した状態における伝票片の裏面の構成を示す図、（ｂ）は伝票片が配送物に貼付された状態を示す図である。
【図４】図１及び図２に示した配送伝票が配送物に貼付された後の使用方法を説明するための図であり、（ａ）は配送物に貼付された伝票片から配達票が分離されていく状態を示す図、（ｂ）は配送物に貼付された伝票片から領収証、貼付票及び配達票が分離された後の状態を示す図である。
【図５】図１及び図２に示した配送伝票のコーナーカット部の形状や位置を変えた例を示す図である。
【図６】本発明の重ね合わせシートの他の実施の形態を示す図であり、（ａ）は表面図、（ｂ）は（ａ）に示したＡ−Ａ’断面図である。
【発明を実施するための形態】
【００１５】
以下に、本発明の実施の形態について図面を参照して説明する。
【００１６】
図１は、本発明の重ね合わせシートの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図２は、図１に示した伝票片１０及び剥離台紙２０の構成を示す図であり、（ａ）は伝票片１０の剥離台紙２０との貼着面の構成を示す図、（ｂ）は剥離台紙２０の伝票片１０との貼着面の構成を示す図、（ｃ）は伝票片１０に形成されたスリット１４ｂ及びコーナーカット部１５と剥離台紙２０に形成されたスリット２２との位置関係を示す図である。
【００１７】
本形態における重ね合わせシートは図１に示すように、長方形の伝票片１０と剥離台紙２０とが重ね合わされて貼着された配送伝票１である。なお、図１（ｄ）においては、配送伝票１の積層構造をわかりやすくするために便宜上厚みを帯びて図示しているが、配送伝票１は実際には、図１（ｂ），（ｃ）に示すように、横方向から見た場合に積層構造がわからないほどのものである。
【００１８】
伝票片１０は本願発明における第１のシートとなるものであって、図１及び図２（ａ）に示すように、長手方向の長さが剥離台紙２０よりも短くなっており、領収証１１と、貼付票１２と、本発明における分離部となる配達票１３とを有している。これら領収証１１、貼付票１２及び配達票１３にはそれぞれ、この伝票片１０が貼付される配送物の配送元及び配送先の住所や氏名あるいは名称等の配送情報が記入あるいは印字される配送情報表示領域１１ａ，１２ａ，１３ａが設けられており、配達票１３にはさらに、配送物が配送先に届けられた際に受領印を押下するための押印領域１３ｂが設けられている。領収証１１、貼付票１２及び配達票１３の境界及び周囲にはジッパー１４ａが形成されており、このジッパー１４ａによって領収証１１、貼付票１２及び配達票１３がそれぞれ伝票片１０から分離可能に区画形成されている。ジッパー１４ａは、例えば、長辺と短辺とが鈍角を有して“ヘ”の字状に連結した複数の切り込みが並んで構成されているものが考えられる。また、配達票１３の１つの角部の近傍には、伝票片１０が長方形の形状に切り抜かれてなる孔部となるコーナーカット部１５がジッパー部１４ａに繋がって設けられているとともに、その角部からコーナーカット部１５までの領域がジッパー１４ａではなくスリット１４ｂとなっている。これら、ジッパー１４ａ及びスリット１４ｂから本願発明の第１の切り離し線が構成されている。本形態におけるコーナーカット部１５は、ジッパー１４ａのうち伝票片１０の長手方向の配達票１３側の端辺において、当該端辺に並行する辺が長辺となる長方形の形状となって配達票１３の外側に設けられている。
【００１９】
伝票片１０の剥離台紙２０との貼着面には、貼付票１２及び配達票１３を除いた領域と、領収証１１の一部の領域とに、伝票片１０の外周に沿って接着剤が塗工されることで接着層３０が設けられている。
【００２０】
剥離台紙２０は、本願発明における第２のシートとなるものであって、図１及び図２（ｂ）に示すように、第２の切り離し線となるスリット２２が形成されることで納品書２１が分離可能に区画形成されており、伝票片１０との貼着面においては、伝票片１０に対向する領域のうち納品書２１以外の全面に剥離剤が塗工されることで剥離層４０が設けられている。納品書２１は、領収証１１、貼付票１２及び配達票１３に渡って対向するようにスリット２２によって形成されている。納品書２１は、剥離台紙２０の短手方向の長さが、領収証１１、貼付票１２及び配達票１３よりも若干短くなっており、それにより、配送伝票１の短手方向における、領収証１１、貼付票１２及び配達票１３の両側の部分においては、接着層３０の全ての領域が剥離層４０に対向している。また、納品書２１は、剥離台紙２０の長手方向の長さが、領収証１１と貼付票１２と配達票１３とを加えた長さよりも若干長くなっており、それにより、納品書２１の長手方向にて対向する２つの端辺に並行する端部領域がそれぞれ、接着層３０と対向している。また、納品書２１には、剥離台紙２０の長手方向のうち配達票１３に対向する側の端部領域において、配達票１３に対向する領域に納品書２１の端辺に並行してミシン目２３が形成されており、それにより、納品書２１は、ミシン目２３を断裁することで、接着層３０と対向する端部領域が切り離し可能となっている。また、納品書２１には、剥離台紙２０の長手方向のうち領収証１１に対向する側の端部領域においても、接着層３０に対向しない領域に納品書２１の端辺に並行してミシン目２４が形成されており、それにより、納品書２１は、ミシン目２４を断裁することで、接着層３０と対向する端部領域が切り離し可能となっている。
【００２１】
以下に、伝票片１０に形成されたスリット１４ｂ及びコーナーカット部１５と剥離台紙２０に形成されたスリット２２との位置関係について、詳細に説明する。
【００２２】
本形態における配送伝票１を構成する伝票片１０は、図２（ｃ）に示すように、配達票１３が、貼付票１２とは反対側の１つの角部が分離開始端１３ｃとなって伝票片１０から分離されるものである。そして、分離開始端１３ｃの近傍においてジッパー１４ａに繋がってコーナーカット部１５が形成されており、このコーナーカット部１５を、配達票１３を伝票片１０から分離する際の摘み代とすることで、分離開始端１３ｃから配達票１３を分離しやすくなっている。
【００２３】
一方、剥離台紙２０に形成されたスリット２２は、伝票片１０と剥離台紙２０とが貼着された状態においてその一部が分離開始端１３ｃの近傍の領域に対向するように形成されている。そのため、スリット２２がコーナーカット部１５と重なってしまう場合がある。その場合、上述したように、コーナーカット部１５が形成された伝票片１０と剥離台紙２０とが重ね合わされて貼着された後にその表裏から刃型が当てられることで、ジッパー１４ａやスリット２２等が形成されることになると、剥離台紙２０のコーナーカット部１５に対向する領域においては、スリット２２を形成するための刃型を当てると、コーナーカット部１５に入り込むように湾曲し、それにより、スリット２２を形成するために刃型によって剥離台紙２０に加わる圧力が弱まり、スリット２２を確実に形成することができなくなってしまう。
【００２４】
そこで、本形態の配送伝票１においては、図２（ｃ）に示すように、コーナーカット部１５が分離開始端１３ｃの近傍の領域においてスリット２２と重ならない領域に設けられている。それにより、スリット２２を形成するために剥離台紙２０に刃型が当てられても、剥離台紙２０が刃型によって湾曲してスリット２２を形成するために剥離台紙２０に加わる圧力が弱まることがなくなり、配達票１３を伝票片１０から分離しやすくするためのコーナーカット部１５を有しながらも、スリット２２が確実に形成されることになる。
【００２５】
また、コーナーカット部１５が、ジッパー１４ａのスリット２２に交差する領域を介して配達票１３の分離開始端１３ｃとなる角部とは反対側に形成されているが、配達票１３の分離開始端１３ｃとなる角部からスリット２２に交差する領域を通過してコーナーカット部１５までの部分がスリット１４ｂとなっているため、コーナーカット部１５を摘み代として配達票１３を伝票片１０から分離する場合でも、伝票片１０の切断部分がジッパー１４ａ及びスリット１４ｂからなる切り離し線から逸れていくことが回避される。
【００２６】
以下に、上記のように構成された配送伝票１の使用方法について説明する。
【００２７】
まず、配送伝票１が配送物に貼付されるまでの使用方法について説明する。
【００２８】
図３は、図１及び図２に示した配送伝票１が配送物に貼付されるまでの使用方法を説明するための図であり、（ａ）は剥離台紙２０の納品書２１以外の部分が伝票片１０から剥離した状態における伝票片１０の裏面の構成を示す図、（ｂ）は伝票片１０が配送物に貼付された状態を示す図である。
【００２９】
図１及び図２に示した配送伝票１を使用する場合は、まず、伝票片１０を配送物に貼付するために伝票片１０から剥離台紙２０を剥離する。伝票片１０と剥離台紙２０とは、上述したように伝票片１０に設けられた接着層３０によって貼着されているものの、剥離台紙２０の納品書２１以外の全面に剥離層４０が設けられているため、容易に剥離していくことができる。剥離台紙２０をその端部から剥離していくと、納品書２１の周囲にはスリット２２が形成されているとともに、納品書２１が、剥離台紙２０の長手方向の両端部の領域にて接着層３０によって伝票片１０に貼着されているため、図３（ａ）に示すように、納品書２１が剥離台紙２０から分離して伝票片１０に貼着されたまま残り、納品書２１の周囲の領域が伝票片１０から剥離する。
【００３０】
剥離台紙２０の納品書２１を除く領域を伝票片１０から剥離すると、伝票片１０の剥離台紙２０との貼着面に設けられた接着層３０が表出し、図３（ｂ）に示すように、この接着層３０を用いて伝票片１０を配送物２に貼付する。
【００３１】
伝票片１０が貼付された配送物２は、配送情報表示領域１１ａ，１２ａ，１３ａに記入あるいは印字された配送情報１１ｄ，１２ｄ，１３ｄに従って配送先に配送されていく。
【００３２】
次に、配送物２が配送先に届けられた後、納品書２１が取り出されるまでの使用方法について説明する。
【００３３】
図４は、図１及び図２に示した配送伝票１が配送物に貼付された後の使用方法を説明するための図であり、（ａ）は配送物に貼付された伝票片１０から配達票１３が分離されていく状態を示す図、（ｂ）は配送物に貼付された伝票片１０から領収証１１、貼付票１２及び配達票１３が分離された後の状態を示す図である。
【００３４】
配送物２が配送先に届けられ、図４（ａ）に示すように、配達票１３の押印領域１３ｂに受領印１３ｅが押下された後、ジッパー１４ａを破断していくことにより配達票１３を伝票片１０から分離する。その際、上述したように、配達票１３は、貼付票１２とは反対側の１つの角部が分離開始端１３ｃとなって伝票片１０から分離されていくことになるが、分離開始端１３ｃの近傍にコーナーカット部１５が形成されているため、このコーナーカット部１５を摘み代とすることで、分離開始端１３ｃから配達票１３を分離しやすくなっている。また、配達票１３の分離開始端１３ｃとなる角部からコーナーカット部１５までの部分がスリット１４ｂとなっているため、コーナーカット部１５を摘み代として配達票１３を伝票片１０から分離する場合でも、伝票片１０の切断部分がジッパー１４ａ及びスリット１４ｂからなる切り離し線から逸れていくことが回避される。
【００３５】
その後、貼付票１２の配達票１３が伝票片１０から分離したことによって生じた端部を摘み、ジッパー１４ａを破断していくことにより貼付票１２を伝票片１０から分離し、さらに、領収証１１の貼付票１２が伝票片１０から分離したことによって生じた端部を摘み、ジッパー１４ａを破断していくことにより、領収証１１を伝票片１０から分離する。
【００３６】
すると、図４（ｂ）に示すように、剥離台紙２０から分離して伝票片１０に貼着されたままとなり、配送物２に関する情報となる納品情報２１ａが表示された納品書２１が視認可能となる。
【００３７】
そして、納品書２１に設けられたミシン目２３，２４を破断することで、納品書２１の伝票片１０に貼着されていない部分を、伝票片１０と配送物２との間から取り出すことができる。
【００３８】
なお、コーナーカット部１５の形状や位置は上述したものに限らない。
【００３９】
図５は、図１及び図２に示した配送伝票１のコーナーカット部１５の形状や位置を変えた例を示す図である。
【００４０】
図１及び図２に示した配送伝票１のコーナーカット部１５としては、図５（ａ）に示すように、ジッパー１４ａのうち伝票片１０の長手方向の配達票１３側の端辺において、当該端辺に並行する辺が長辺となる長方形の形状となって配達票１３の内側に設けられているものであってもよい。
【００４１】
また、図５（ｂ）に示すように、コーナーカット部１５が、ジッパー１４ａのうち伝票片１０の長手方向の配達票１３側の端辺において、当該端辺に並行する辺が長辺となる長方形の形状となって配達票１３の内側に設けられるとともに、スリット１４ｂが、コーナーカット部１５の配達票１３側の端辺から延長するように設けられたものであってもよい。
【００４２】
また、図５（ｃ）に示すように、コーナーカット部１５として、ジッパー１４ａのうち伝票片１０の短手方向の分離開始端１３ｃ側の端辺において、当該端辺に並行する辺が長辺となる長方形の形状となって、スリット１４ｂがコーナーカット部１５の短辺から延長するように配達票１３の外側に設けられているものであってもよい。
【００４３】
また、図５（ｄ）に示すように、コーナーカット部１５として楕円形状を有するものであってもよい。
【００４４】
上記のいずれのものにおいても、配達票１３の分離開始端１３ｃの近傍の領域において、剥離台紙２０に形成されたスリット２２に重ならない領域にジッパー１４ａに繋がったコーナーカット部１５が設けられているとともに、スリット２２に交差する領域が、ジッパー１４ａの代わりに、コーナーカット部１５と、配達票１３の分離開始端１３ｃとなる角部とに繋がったスリット１４ｂとなっているものとなる。
【００４５】
それにより、スリット２２を形成するために剥離台紙２０に刃型が当てられても、剥離台紙２０が刃型によって湾曲してスリット２２を形成するために剥離台紙２０に加わる圧力が弱まることがなくなり、配達票１３を伝票片１０から分離しやすくしながらも、スリット２２を確実に形成することができる。また、コーナーカット部１５を摘み代として配達票１３を伝票片１０から分離する場合でも、伝票片１０の切断部分がジッパー１４ａ及びスリット１４ｂからなる切り離し線から逸れていくことを回避できる。
【００４６】
（他の実施の形態）
図６は、本発明の重ね合わせシートの他の実施の形態を示す図であり、（ａ）は表面図、（ｂ）は（ａ）に示したＡ−Ａ’断面図である。
【００４７】
本形態における重ね合わせシートは図６に示すように、上シート１１０と下シート１２０とが重ね合わされて貼着された重ね合わせシートであって、本願発明の基本的な構造を有するものである。
【００４８】
上シート１１０は本願発明における第１のシートとなるものであって、図６に示すように、第１の切り離し線となるミシン目１１４ａが形成されており、このミシン目１１４ａによって分離票１１３が上シート１１０から分離可能に区画形成されている。また、図１に示したものと同様に、分離票１１３を上シート１１０から分離する際の分離開始端１１３ｃの近傍において、後述する下シート１２０に形成されたスリット１２２に重ならない領域にミシン目１１４ａに繋がったコーナーカット部１１５が設けられているとともに、分離票１１３の分離開始端１１３ｃとなる角部からコーナーカット部１１５までの部分が、ミシン目１１４ａの代わりにスリット１１４ｂとなっている。上シート１１０の下シート１２０との貼着面には、分離票１１３を除いた領域に、上シート１１０の外周に沿って接着剤が塗工されることで接着層１３０が設けられている。
【００４９】
下シート１２０は、本願発明における第２のシートとなるものであって、図６に示すように、第２の切り離し線となるスリット１２２が形成されている。スリット１２２は、その一部が分離開始端１１３ｃの近傍においてスリット１１４ｂと交差するように形成されている。
【００５０】
上記のように構成された重ね合わせシートにおいても、コーナーカット部１１５が分離開始端１１３ｃの近傍の領域においてスリット１２２と重ならない領域に設けられていることにより、スリット１２２を形成するために下シート１２０に刃型が当てられても、下シート１２０が刃型によって湾曲してスリット１２２を形成するために下シート１２０に加わる圧力が弱まることがなくなり、分離票１１３を上シート１１０から分離するためのコーナーカット部１１５を有しながらも、スリット１２２が確実に形成されることになる。また、分離票１１３の分離開始端１１３ｃとなる角部からスリット１２２に交差する領域を通過してコーナーカット部１１５までの部分がスリット１１４ｂとなっていることにより、コーナーカット部１１５を摘み代として分離票１１３を上シート１１０から分離する場合でも、上シート１１０の切断部分がミシン目１１４ａ及びスリット１１４ｂからなる切り離し線から逸れていくことが回避される。
【符号の説明】
【００５１】
１    配送伝票
２    配送物
１０    伝票片
１１    領収証
１１ａ，１２ａ，１３ａ    配送情報表示領域
１１ｄ，１２ｄ，１３ｄ    配送情報
１２    貼付票
１３    配達票
１３ｂ    押印領域
１３ｃ，１１３ｃ    分離開始端
１３ｅ    受領印
１４ａ    ジッパー
１４ｂ，２２，１１４ｂ，１２２    スリット
１５，１１５    コーナーカット部
２０    剥離台紙
２１    納品書
２１ａ    納品情報
２３，２４，１１４ａ    ミシン目
３０，１３０    接着層
４０    剥離層
１１０    上シート
１１３    分離票
１２０    下シート
【図１】
0006609514.tif 000002
【図２】
0006609514.tif 000003
【図３】
0006609514.tif 000004
【図４】
0006609514.tif 000005
【図５】
0006609514.tif 000006
【図６】
0006609514.tif 000007